(57)【要約】【課題】  ユーザーが必要な品の一覧を覚えておく必要がなく、その必要な品に対して消費状況の確認をする手間を省き、労力および時間の効率をよくすること。【解決手段】  ユーザー要望入力・表示部１００がユーザー端末から要望情報の入力を受け付け、注文リスト作成部１０３が、その要望情報と一致する要望に対応する必要品テーブルを要望・必要品管理部１０１から取得し、該必要品テーブルから必要品を１つずつ取り出し、その必要品に関しての消費状況を消費状況把握部１０２に問い合わせてチェックし、消費状況に基づいて注文リストにその品名を追加する。【選択図】  図１
2007011877.tif 000002
【特許請求の範囲】
【請求項１】
ユーザー端末から要望情報の入力を受け付ける手段と、
その受け付けた要望情報と一致する要望に対応する必要品テーブルを取得し、該必要品テーブルから必要品を１つずつ取り出し、その必要品に関しての消費状況をチェックする手段と、
品物の消費状況情報を格納する消費状況テーブルを更新する手段と、
その消費状況テーブルの消費状況に基づいて注文リストにその品名を追加する手段と
を備え、注文が必要な品物としてリストアップできる対象とする範囲の品物の消費状況やストック状況を管理することを特徴とする消費管理サーバ。
【請求項２】
必要品リストとして追加できる対象の品物を表示する手段をさらに備え、
追加されたユーザーの要望や品物に応じた必要品リストを作成することを特徴とする請求項１記載の消費管理サーバ。
【請求項３】
消費状況をチェックするタイミングとそのタイミングでチェックしたいユーザーの要望を登録する消費状況チェックタイミングテーブルをさらに備え、
登録したタイミングで必要品の消費状況をチェックし注文が必要な品としてリストアップすることを特徴とする請求項１または２記載の消費管理サーバ。
【請求項４】
その品特有の容量や使用頻度やそのユーザーの好みに応じて消費を判断する観点の情報を登録する消費状況チェック視点テーブルをさらに備え、
登録した観点で必要品の消費状況をチェックし注文が必要な品としてリストアップすることを特徴とする請求項１から３のいずれか１項に記載の消費管理サーバ。
【請求項５】
ユーザー端末から要望情報の入力を受け付けるステップと、
その受け付けた要望情報と一致する要望に対応する必要品テーブルを取得し、該必要品テーブルから必要品を１つずつ取り出し、その必要品に関しての消費状況をチェックするステップと、
品物の消費状況情報を格納する消費状況テーブルの消費状況に基づいて注文リストにその品名を追加するステップと
を有することを特徴とする消費管理支援方法。
【請求項６】
必要品リストとして追加できる対象の品物を表示するステップをさらに有し、
追加されたユーザーの要望や品物に応じた必要品リストを作成することを特徴とする請求項５記載の消費管理支援方法。
【請求項７】
消費状況チェックタイミングテーブルに消費状況をチェックするタイミングとそのタイミングでチェックしたいユーザーの要望を登録するステップをさらに有し、
登録したタイミングで必要品の消費状況をチェックし注文が必要な品としてリストアップすることを特徴とする請求項５または６記載の消費管理支援方法。
【請求項８】
消費状況チェック視点テーブルに、その品特有の容量や使用頻度やそのユーザーの好みに応じて消費を判断する観点の情報を登録するステップをさらに有し、
登録した観点で必要品の消費状況をチェックし注文が必要な品としてリストアップすることを特徴とする請求項５から７のいずれか１項に記載の消費管理支援方法。
【請求項９】
コンピュータに、
ユーザー端末から要望情報の入力を受け付ける機能と、
その受け付けた要望情報と一致する要望に対応する必要品テーブルを取得し、該必要品テーブルから必要品を１つずつ取り出し、その必要品に関しての消費状況をチェックする機能と、
品物の消費状況情報を格納する消費状況テーブルの消費状況に基づいて注文リストにその品名を追加する機能と
を実現させることを特徴とするプログラム。
【請求項１０】
コンピュータに、
必要品リストとして追加できる対象の品物を表示する機能を実現させ、
追加されたユーザーの要望や品物に応じた必要品リストを作成させることを特徴とする請求項９記載のプログラム。
【請求項１１】
コンピュータに、
消費状況チェックタイミングテーブルに消費状況をチェックするタイミングとそのタイミングでチェックしたいユーザーの要望を登録する機能を実現させ、
登録したタイミングで必要品の消費状況をチェックし注文が必要な品としてリストアップさせることを特徴とする請求項９または１０記載のプログラム。
【請求項１２】
コンピュータに、
消費状況チェック視点テーブルに、その品特有の容量や使用頻度やそのユーザーの好みに応じて消費を判断する観点の情報を登録する機能を実現させ、
登録した観点で必要品の消費状況をチェックし注文が必要な品としてリストアップさせることを特徴とする請求項９から１１のいずれか１項に記載のプログラム。
【発明の詳細な説明】
【技術分野】
【０００１】
本発明は、消費物を管理する技術に関する。
【背景技術】
【０００２】
家庭でも会社でも、対象は異なっても消費物の管理と注文には、少なからず人手を介さなければならず、かなり時間もかかり面倒なことである。
【０００３】
例えば、家庭では、食品や洗剤等の生活用品などの消費物は、種類がかなり多く、管理場所も多岐にわたる。
【０００４】
キッチンでは冷蔵庫、調味料置き場、乾燥物置き場、食器洗剤置き場など、洗面所には、はみがきセット、手洗い石鹸置き場、衣類洗剤置き場、トイレット用品置き場など、赤ちゃんがいる家庭には、ミルクやオムツなどの消費物がさらにある。
【０００５】
また、予備でストックしておく場合は、また別にストック場所を設ける場合もある。
【０００６】
このような多くの種類のいろいろな場所に置いてある消費物やストック品の状況はなかなか把握しきれない。
【０００７】
また、買い物に行く前や、宅配の注文時に、まずは何をしたいのか（週２回は洗濯するし、毎日朝食のセット（例えば、パン、牛乳、ヨーグルト）は欠かせないし、今週はカレーとぎょうざを作りたいなど）を決めて、それに必要な品物について、消費状況を確認し、買い物リストを作るのだが、それ自体が手間がかかりかなり面倒である。
【０００８】
また、何かのついでに買い物を済ませることになった場合など、ストックがあるのを忘れて余分に買ってきてしまったり、消費済みなのを忘れて買ってこず、後でまた買いに行く羽目になったり、無駄な時間と労力を使うことになってしまう。
【０００９】
また、コンビニなど夜まで開いていて、無くなったら買いに行くこともできる消費物もあり、便利そうに見えるが、買いに行く時間がなかったり、コンビニに置いていない品も多く、また、定価で売っているので割高になってしまう。
【００１０】
ここで、在庫管理諸元情報ＤＢ内の在庫基準日数、下流工程の在庫消費計画等をもとに、欠品余裕日数を計算し、これと在庫基準日数などを比較し、在庫が正常か、欠品発生の恐れがあるのか、あるいは過剰在庫になりそうかの判断をし、在庫補充要求量計算ブロック、在庫量異常アラ−ム付き補充計画立案ブロック、在庫計画立案ブロックにより、それらの状況に即した在庫計画、在庫量異常アラ−ムの出力を実行することで、過剰在庫や欠品を早期に発見し、異常状況をきめ細かく把握できる在庫管理技術が開示されている（例えば、特許文献１参照）。
【００１１】
また、消耗品の使用開始時に、新しい消耗品の補充や使い切った消耗品の回収を問い合わせることで消耗品の供給や回収をタイミングよく行うことができる技術が開示されている（例えば、特許文献２参照）。
【特許文献１】特開平７−３０６８９４号公報
【特許文献２】特開２００４−３２５９１５号公報
【発明の開示】
【発明が解決しようとする課題】
【００１２】
しかしながら、上述した従来例においては次のような問題点があった。
【００１３】
消費物を消費しているユーザーは、特定の消費物を使いたいというよりも、こういうことをやりたいという要望があり、それをユーザー自身が解釈してブレークダウンしてそれに必要な消費物を特定している。
【００１４】
そして、その必要物に対して消費状況を確認、新たに注文しなければならない品を記憶したり、紙に書き出したりするので、要望に対する必要品は、よく使う決まったものであれば、ユーザー自身が覚えているが、その人の記憶頼りになってしまう。また、必要品が沢山あればあるほど、記憶するには限界がある。
【００１５】
本発明は、以上説明した事情に鑑みてなされたものであり、その目的は、ユーザーが必要な品の一覧を覚えておく必要がなく、その必要な品に対して消費状況の確認をする手間を省き、労力および時間の効率をよくすることである。
【課題を解決するための手段】
【００１６】
請求項１記載の発明は、ユーザー端末から要望情報の入力を受け付ける手段と、その受け付けた要望情報と一致する要望に対応する必要品テーブルを取得し、該必要品テーブルから必要品を１つずつ取り出し、その必要品に関しての消費状況をチェックする手段と、品物の消費状況情報を格納する消費状況テーブルを更新する手段と、その消費状況テーブルの消費状況に基づいて注文リストにその品名を追加する手段とを備え、注文が必要な品物としてリストアップできる対象とする範囲の品物の消費状況やストック状況を管理することを特徴とする消費管理サーバである。
【００１７】
請求項２記載の発明は、請求項１記載の消費管理サーバにおいて、必要品リストとして追加できる対象の品物を表示する手段をさらに備え、追加されたユーザーの要望や品物に応じた必要品リストを作成することを特徴とする。
【００１８】
請求項３記載の発明は、請求項１または２記載の消費管理サーバにおいて、消費状況をチェックするタイミングとそのタイミングでチェックしたいユーザーの要望を登録する消費状況チェックタイミングテーブルをさらに備え、登録したタイミングで必要品の消費状況をチェックし注文が必要な品としてリストアップすることを特徴とする。
【００１９】
請求項４記載の発明は、請求項１から３のいずれか１項に記載の消費管理サーバにおいて、その品特有の容量や使用頻度やそのユーザーの好みに応じて消費を判断する観点の情報を登録する消費状況チェック視点テーブルをさらに備え、登録した観点で必要品の消費状況をチェックし注文が必要な品としてリストアップすることを特徴とする。
【００２０】
請求項５記載の発明は、ユーザー端末から要望情報の入力を受け付けるステップと、その受け付けた要望情報と一致する要望に対応する必要品テーブルを取得し、該必要品テーブルから必要品を１つずつ取り出し、その必要品に関しての消費状況をチェックするステップと、品物の消費状況情報を格納する消費状況テーブルの消費状況に基づいて注文リストにその品名を追加するステップとを有することを特徴とする消費管理支援方法である。
【００２１】
請求項６記載の発明は、請求項５記載の消費管理支援方法において、必要品リストとして追加できる対象の品物を表示するステップをさらに有し、追加されたユーザーの要望や品物に応じた必要品リストを作成することを特徴とする。
【００２２】
請求項７記載の発明は、請求項５または６記載の消費管理支援方法において、消費状況チェックタイミングテーブルに消費状況をチェックするタイミングとそのタイミングでチェックしたいユーザーの要望を登録するステップをさらに有し、登録したタイミングで必要品の消費状況をチェックし注文が必要な品としてリストアップすることを特徴とする。
【００２３】
請求項８記載の発明は、請求項５から７のいずれか１項に記載の消費管理支援方法において、消費状況チェック視点テーブルに、その品特有の容量や使用頻度やそのユーザーの好みに応じて消費を判断する観点の情報を登録するステップをさらに有し、登録した観点で必要品の消費状況をチェックし注文が必要な品としてリストアップすることを特徴とする。
【００２４】
請求項９記載の発明は、コンピュータに、ユーザー端末から要望情報の入力を受け付ける機能と、その受け付けた要望情報と一致する要望に対応する必要品テーブルを取得し、該必要品テーブルから必要品を１つずつ取り出し、その必要品に関しての消費状況をチェックする機能と、品物の消費状況情報を格納する消費状況テーブルの消費状況に基づいて注文リストにその品名を追加する機能とを実現させることを特徴とするプログラムである。
【００２５】
請求項１０記載の発明は、請求項９記載のプログラムにおいて、コンピュータに、必要品リストとして追加できる対象の品物を表示する機能を実現させ、追加されたユーザーの要望や品物に応じた必要品リストを作成させることを特徴とする。
【００２６】
請求項１１記載の発明は、請求項９または１０記載のプログラムにおいて、コンピュータに、消費状況チェックタイミングテーブルに消費状況をチェックするタイミングとそのタイミングでチェックしたいユーザーの要望を登録する機能を実現させ、登録したタイミングで必要品の消費状況をチェックし注文が必要な品としてリストアップさせることを特徴とする。
【００２７】
請求項１２記載の発明は、請求項９から１１のいずれか１項に記載のプログラムにおいて、コンピュータに、消費状況チェック視点テーブルに、その品特有の容量や使用頻度やそのユーザーの好みに応じて消費を判断する観点の情報を登録する機能を実現させ、登録した観点で必要品の消費状況をチェックし注文が必要な品としてリストアップさせることを特徴とする。
【発明の効果】
【００２８】
本発明によれば、ユーザーが必要な品の一覧を覚えておく必要がなく、その必要な品に対して消費状況の確認をする手間を省き、労力および時間の効率をよくすることができるようになる。
【発明を実施するための最良の形態】
【００２９】
以下、本発明の第１の実施の形態について図面を参照して詳細に説明する。なお、各図において共通する部分には、同一の符号が付されている。
【００３０】
消費管理支援のための情報提供サービスに本発明を適用した場合について説明する。
【００３１】
図１を参照すると、本実施の形態における消費管理支援システムは、公衆線や専用線といった電話回線やインターネットなどの遠隔通信網２０５を介して接続されたサービス提供業者のサービスセンタとユーザサイトとを有する。ひとつのサービスセンタに対して複数のユーザサイトが接続される。サービスセンタ１０１においては、ゲートウエイ２０２が遠隔通信網２０５と接続されている。このゲートウエイ２０２には、データベースを管理するためのデータベースサーバ２０１と、パーソナルコンピュータ（ＰＣ）２０３と、ＬＡＮを管理するためのネットワークサーバ２０４とがＬＡＮにより接続されている。データベースサーバ２０１にはデータベース１９９９が構築されている。また、サービスセンタ１０１における処理を遂行する窓口端末としてＰＣ２０３が利用される。窓口端末であるＰＣ２０３では、サービスセンタ側の処理を行うためにサービスモジュール２１０と、分析システム２２０とが実施される。また、窓口端末２０３では、ユーザインターフェース画面の表示なども行う。
【００３２】
ユーザサイト１０２においては、ゲートウエイ２０７が遠隔通信網２０５に接続されている。そのゲートウエイ２０７には、ＬＡＮによってＰＣ２０８およびＰＣ２０９が接続されている。ＰＣ２０８およびＰＣ２０９は、ＬＡＮを介して遠隔通信網２０５にアクセスすることができる。ユーザサイトにおける処理を遂行する窓口端末としてはＰＣ２０８が利用される。窓口端末であるＰＣ２０８およびＰＣ２０９では、ユーザサイト側の処理を行うためのユーザモジュール２５０が実行される。
【００３３】
このように、ユーザサイト１０２の各機器とサービスセンタ１０１との間は、常時、あるいは必要に応じて接続され、互いに通信することが可能となっている。
【００３４】
ＰＣは、図２に示すように、ＲＯＭ３０７に書き込まれたプログラム、あるいはＲＡＭ３０２に書き込まれたＯＳやアプリケーションプログラムをＣＰＵ３０１により実行することで、各種制御や後述する手順（例えば、サービスモジュールやユーザモジュールなど）を実現する。
【００３５】
ＨＤ３０３およびＦＤ／ＣＤ（フロッピディスクドライブまたはＣＤドライブ）３０８はファイル記憶媒体で、プログラムファイルやデータファイルを格納する。特にＦＤ／ＣＤ３０８は、記憶媒体が交換可能であり、データやプログラムをその媒体からＰＣに供給することができる。
【００３６】
キーボードおよびポインティングデバイス３０９は、利用者が入力を行うための入力デバイスであり、ディスプレイ３０４とともに、後述するユーザインターフェースなどを実現している。
【００３７】
ＬＡＮインターフェース３０６はＬＡＮに接続するためのインターフェース回路である。プリンタインターフェース３０５はＰＣにプリンタをローカル接続するためのインターフェースである。
【００３８】
リモートインターフェース３１０は、モデムやルータなど、遠隔通信網２０５に接続するためのデバイスであり、図１では、ゲートウエイ２０２およびゲートウエイ２０７が使用している。遠隔通信網は電話回線に限らないので、電話回線でない場合にはその通信網に即したインターフェースが用いられる。このような構成により、サービスセンタおよびユーザサイトのコンピュータは互いに接続される。
【００３９】
次に、図３に示すブロック図を参照して、サービスセンタ側の処理を行うためにサービスモジュール２１０と、分析システム２２０とが実施されるＰＣ２０３の機能を説明する。
【００４０】
要望・必要品管理部１０１には、あらかじめデフォルト値として、一般的な要望とそれに対応する標準的な必要品の対応リストが管理されている。
【００４１】
要望・必要品管理部１０１で管理されている要望一覧をユーザー要望入力・表示部１００で表示してユーザーより希望する要望の選択を受け付ける。ここで選択された要望を元に、要望・必要品管理部１０１に管理されている、図４に示すような要望に対する必要品テーブルから検索し、一致する要望に対応する必要品のテーブルを取得する。
【００４２】
注文リスト作成部１０３は、取得した必要品のテーブルから必要品を１つずつ取り出し、その必要品に関しての消費状況を消費状況把握部１０２に問い合わせてチェックする。
【００４３】
消費状況把握部１０２は、問い合わせがあった品名の消費状況を既存の消費管理システムより情報を得て、図５に示すような消費状況テーブルを更新する。
【００４４】
時間管理部１０４は、ＰＣ２０３の自機のタイマを管理する。
【００４５】
次に、本実施の形態の動作について説明する。図６は、ＰＣ２０８からのユーザーの要望に対する必要品の導出を行う場合の本消費管理支援システム各部の動作を例示するフローチャートである。
【００４６】
まず、ＰＣ２０８は、遠隔通信網２０５を介して、ＰＣ２０３に対して「カレーを作る」などの要望の情報を送信する（Ｓ６０１）。
【００４７】
ユーザー要望入力・表示部１００は、ユーザーより希望する要望の選択を受け付け、表示する（Ｓ６０２）。
【００４８】
注文リスト作成部１０３は、選択された要望を元に、要望・必要品管理部１０１に管理されている、図４に示すような要望に対する必要品テーブルを検索し、一致する要望に対応する必要品のテーブルを取得する（Ｓ６０３）。
【００４９】
注文リスト作成部１０３は、取得した必要品のテーブルから必要品を１つずつ取り出し、その必要品に関しての消費状況を消費状況把握部１０２に問い合わせてチェックする（Ｓ６０４）。
【００５０】
消費状況把握部１０２は、問い合わせがあった品名の消費状況を既存の消費管理システムより情報を得て、図５に示すような消費状況テーブルを更新する（Ｓ６０５）。例えば、その消費状況をチェックし、消費率が７０％以上ならば、残りが少ないと判断し、注文リスト作成部１０３の注文リストにその品名を追加する（Ｓ６０６）。商品率が７０％以下ならば、まだ注文する必要はないと判断し、注文リスト作成部１０３の注文リストにはその品名は追加しない。注文リストをユーザーがその後どのように使用するか、例えば、それをもとにすぐ買い物に行くのか、１週間後に品物を受け取れるように宅配に注文するのに使うのかによって、判断する消費率を決めてもよい。
【００５１】
図４に示すような必要品テーブルの中の必要品を同じ手順ですべてチェックすると、注文リストが作成完了する。
【００５２】
次に、本発明の第２の実施の形態について図面を参照して詳細に説明する。なお、基本的な構成は上記の第１の実施の形態と同様であるの重複する説明は省略する。
【００５３】
表示されている要望一覧から、変更したい要望を選択し、登録内容を変更する点が相違する。
【００５４】
図７を参照すると、まず、ユーザー要望入力・表示部１００は、要望・必要品管理部１０１で管理している、要望とそれに対応する必要品の対応リスト登録画面を表示する。
【００５５】
ユーザー要望入力・表示部１００は、選択された要望に対応する必要品リストを表示する。さらに、必要品リストとして追加できる本消費管理支援システムの対象の品（消費状況を管理している対象範囲）を表示し、その中からユーザーが選択した追加する品などの入力を受け付け、新たな必要品リストとして要望・必要品管理部１０１で管理している必要品テーブルを更新する。
【００５６】
また、要望を新規登録する場合は、ユーザーが作成した新規登録したい要望名の入力を受け付け、それに対応する必要品リストの対象の品の選択を受け付け、要望・必要品管理部１０１で管理している必要品テーブルに追加登録を行う。
【００５７】
上記の実施の形態によれば、ユーザーの要望に対しての必要品をユーザーの好みのセットで登録、削除、変更することができるので、ユーザーの好みの変化や新製品や改良品が出た場合の変化にすぐ対応することができる。これにより、ユーザーの要望すること（例えば、「○○を洗濯したい」、「カレーを作りたい」）が同じでも、その要望に必要な品（材料）は、ユーザーの好みなどもあり種類も品数も異なるが、それらは記憶するには限界があり、また、改良品、従来より良い品はどんどん発売されるので、必要品のセットはいつどんなタイミングで変わるとも限らないという状況に対応することができる。
【００５８】
次に、本発明の第３の実施の形態について図面を参照して詳細に説明する。なお、基本的な構成は上記の第１の実施の形態と同様であるの重複する説明は省略する。
【００５９】
あらかじめ、ユーザーが自分の要望に対する使用頻度やその品ごとの容量などから、要望に対する消費状況チェックの時期を設定する点が相違する。
【００６０】
消費状況チェックの時期が図８に示すような消費状況チェックタイミングテーブルに登録される。そのテーブルは、ユーザーがＰＣ２０８などから変更したり、追加、削除したりすることができるものとする。
【００６１】
また、その品特有の容量や使用頻度やそのユーザーの好みもあるので、その品ごとに、消費状況チェック視点を設定することができる。例えば、たまねぎなら、1個はあっという間に消費してしまうので、ストックの個数で消費状況を判断する。あるいは、カレールーなら、１回ごとに半分しか使わないので、現物の消費率で判断するなどを、好みに応じて設定することができる。このような情報が図９に示すような消費状況チェック視点テーブルに登録される。このテーブルは変更を可能とする。
【００６２】
次に、本実施の形態の動作について説明する。まず、時間管理部１０４は、商品状況チェックタイミングテーブルに登録されている要望ごとに時間を管理しており、そのテーブルに登録された時期がきたことを自動的に判断し、そのタイミングで、その要望を元に、要望・必要品管理部１０１が管理する必要品テーブルを検索し、一致する要望に対応する必要品テーブルを取得する。
【００６３】
注文リスト作成部１０３は、取得した必要品テーブルから必要品を１つずつ取り出し、その必要品に関しての消費状況を消費状況把握部１０２に問い合わせてチェックする。
【００６４】
消費状況把握部１０２は、問い合わせがあった品名の消費状況を既存の消費管理システムより情報を得て、消費状況チェック視点テーブルを更新する。その品名に対応するチェック視点で現物の消費率、あるいはストック数をチェックし、残りが少ないと判断した場合には、注文リスト作成部１０３の注文リストにその品名を追加する。
【００６５】
一方、まだ注文する必要はないと判断した場合には、注文リスト作成部１０３の注文リストにはその品名は追加しない。
【００６６】
必要品テーブルの中の必要品を同じ手順ですべてチェックすると、注文リストが作成完了する。
【００６７】
上記の実施の形態によれば、ユーザーが指示した要望に対して、定期的にチェックするタイミングを登録でき、登録されたタイミングで自動的にチェックするので、必要な品を消費済み、あるいはストックがなくなる前に、余裕をもって揃えることができる。これにより、品物によって容量や消費期限が異なり、また、使用頻度がユーザーによって異なるが、めったに使わないものは別だが、毎日などコンスタントに消費するものは、消費周期がほぼ決まっているものも多く、一方、注文（買い物）ができるタイミングは、ユーザーが選べないことも多く、その場で消費済みがわかったからといって、すぐには買いにいくこともできないし、注文形式だと、1週間後に注文した物を受け取ることしかできない場合も多く、また、買い物にいけたからといって、欲しい品物が絶対手に入るとは限らないという状況に対応することができる。
【００６８】
なお、上述する各実施の形態は、本発明の好適な実施の形態であり、本発明の要旨を逸脱しない範囲内において種々変更実施が可能である。例えば、上記の実施の形態におけるデータベースサーバ２０１、ゲートウエイ２０２、ＰＣ２０３、ネットワークサーバ２０４、ゲートウエイ２０７ＰＣ２０８およびＰＣ２０９の機能を実現するためのプログラムを各装置等に読込ませて実行することにより本システムの機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００６９】
上述する実施の形態は、データベースサーバ２０１、ゲートウエイ２０２、ＰＣ２０３、ネットワークサーバ２０４、ゲートウエイ２０７ＰＣ２０８およびＰＣ２０９が別個に接続されているシステム構成について説明したが、各機能が１つのコンピュータシステムとして実現されている構成や機能毎に複数のサーバ装置などが追加された構成にも適用可能であることはもちろんである。
【図面の簡単な説明】
【００７０】
【図１】本発明の第１の実施形態における消費管理支援システムの概略構成図である。
【図２】本発明の第１の実施形態におけるＰＣの機能ブロック図である。
【図３】本発明の第１の実施形態におけるＰＣ２０３の機能を示す図である。
【図４】本発明の第１の実施形態における必要品テーブルに格納されるデータ構成の一例を示す図である。
【図５】本発明の第１の実施形態における消費状況テーブルに格納されるデータ構成の一例を示す図である。
【図６】本発明の第１の実施形態における処理動作を示すフローチャートである。
【図７】本発明の第２の実施形態における更新・登録処理の概念を示す図である。
【図８】本発明の第３の実施形態における消費状況チェックタイミングテーブルに格納されるデータ構成の一例を示す図である。
【図９】本発明の第３の実施形態における消費状況チェック視点テーブルに格納されるデータ構成の一例を示す図である。
【符号の説明】
【００７１】
１００    ユーザー要望入力・表示部
１０１    要望・必要品管理部
１０２    消費状況把握部
１０３    注文リスト作成部１０３
１０４    時間管理部
２０３    ＰＣ
【図１】
2007011877.tif 000003
【図２】
2007011877.tif 000004
【図３】
2007011877.tif 000005
【図４】
2007011877.tif 000006
【図５】
2007011877.tif 000007
【図６】
2007011877.tif 000008
【図７】
2007011877.tif 000009
【図８】
2007011877.tif 000010
【図９】
2007011877.tif 000011